(57)【特許請求の範囲】
【請求項１】
点灯装置が配設された器具本体部に着脱可能に取り付けられ、前記点灯装置から電力の供給がされる光源ユニットであって、
直列に接続された複数の発光素子と、
前記複数の発光素子に対して並列に接続する分圧部と、
前記分圧部が分圧する分電圧が印加され、前記複数の発光素子に印加される順方向電圧の変動を検知する制御ユニットと、
前記複数の発光素子と直列に接続されるとともに、前記制御ユニットにより制御される開閉部と、
を備えることを特徴とする光源ユニット。
【請求項２】
前記複数の発光素子は所定の電流が供給されて発光し、前記制御ユニットが前記分電圧を観測し前記順方向電圧の変動を検知することを特徴とする請求項１に記載の光源ユニット。
【請求項３】
前記所定の電流は当該光源ユニットが接続される点灯装置から供給される定電流であることを特徴とする請求項２に記載の光源ユニット。
【請求項４】
前記複数の発光素子と前記開閉部との間に検知部が接続され、前記複数の発光素子は所定の電圧が印加され発光し、前記制御ユニットは前記検知部の印加電圧を観測し前記順方向電圧の変動を検知することを特徴とする請求項１に記載の光源ユニット。
【請求項５】
前記所定の電圧は当該光源ユニットが接続される点灯装置から印加される定電圧であることを特徴とする請求項４に記載の光源ユニット。
【請求項６】
前記器具本体部に着脱可能に係合する一対のピンを有し、前記一対のピンにより前記点灯装置と電気的に接続することを特徴とする請求項１から請求項５のいずれか一項に記載の光源ユニット。
【請求項７】
請求項1から請求項６のいずれかに記載の光源ユニットと、
前記光源ユニットを着脱可能に保持するソケットと、
前記ソケットを介し前記光源ユニットに電力を供給する点灯装置と、
前記ソケットと、前記点灯装置が配設された器具本体部と、
を備えることを特徴とする照明器具。
【発明の詳細な説明】
【技術分野】
【０００１】
本発明は、光源として発光素子を備えた光源ユニットに関するものである。
【背景技術】
【０００２】
従来より、家庭用や施設用の照明器具の光源として、直管形蛍光ランプが広く用いられてきた。
その一方で、近年、蛍光ランプに比べて消費電力が低いＬＥＤ素子を用いたＬＥＤランプが普及しつつあり、直管形蛍光ランプの代替光源として市場に供給されている。
また、光源にＬＥＤを用いた直管形のランプ（ＬＥＤランプ）は、直管形のＬＥＤランプに関するＪＩＳ規格「ＪＩＳ Ｃ ８１５９−１  Ｌ形ピン口金ＧＸ１６ｔ−５付直管ＬＥＤランプシステム（一般照明用）」が公開されるなど、蛍光灯ランプに代わる光源として使用用途が拡大されることが予測できる。
【０００３】
このＬＥＤランプは、ＬＥＤ素子を発光させる為の電気部品を内部に備えており、ＬＥＤ素子を点灯させる機能と合わせ、ＬＥＤが照射する光を調光するなど機能を持たせているものがある。
【０００４】
例えば、ＬＥＤを光源に用いた照明器具は、ＬＥＤ素子から照射される出力量が、点灯時間が累積されるに従い同電流に対する出力量は減衰していく。その為、使用開始時と累積点灯時間が経過した時とでＬＥＤ素子からの出力量に違いがないよう、累積点灯時間に従ってＬＥＤ素子への電流量を制御し調光している。
この調光機能をＬＥＤランプが備えているものがある。このＬＥＤランプは、累積点灯時間を計時して、この累積点灯時間に従い調光する調光比を制御するマイコンを内蔵し、ＬＥＤランプ自体で調光を行えるようにしている（例えば、特許文献１参照）。
【０００５】
また、蛍光ランプであれば口金周囲が黒化する、あるいは、点滅が起こるなどにより製品寿命が目視により認識できる。一方で、ＬＥＤ素子は発光効率が劣化しながらも半永久的に使用が可能であり、調光機能が備えられていないＬＥＤランプもしくは照明器具であると、ＬＥＤ素子の出力量の低下が認識されずに使用され続けられる可能性もある。
そこで、ＬＥＤ素子の動作時に生じる熱が作用することで樹脂素材が絶縁劣化することを利用し、ＬＥＤランプが特定時間経過後に消灯制御するものがある。
このＬＥＤランプは基板部に、ＬＥＤ素子の発光に伴う発熱の影響を受け樹脂素材が劣化し電流を遮断する寿命検出素子が実装されており、ＬＥＤランプが所定時間動作すると寿命検出素子が電流を遮断し、消灯する（例えば、特許文献２参照）。
【先行技術文献】
【特許文献】
【０００６】
【特許文献１】特開２０１１−２２２３２０号公報
【特許文献２】国際公開第２０１１／０９６１６５号公報
【発明の概要】
【発明が解決しようとする課題】
【０００７】
しかしながら、特許文献１のＬＥＤランプは、ＬＥＤランプに内蔵されたマイコンが計測・記録した累積点灯時間に伴い調光制御をおこない、ＬＥＤランプが寿命に達した時に、ＬＥＤランプとは別に照明装置に設けられた出力停止部によりＬＥＤランプを消灯させている。
よって、出力停止部を備えていない照明装置を用いた際には、ＬＥＤランプはＬＥＤ素子が劣化した状態で点灯し続ける可能性がある。
【０００８】
また、特許文献２の寿命検出素子を備えたＬＥＤランプは、寿命検出素子がＬＥＤ素子からの発熱を検知する為に、ＬＥＤ素子のなるべく近くに配置される必要があり、近くに配置したことによりＬＥＤ素子からの照射を遮る可能性がある。
また、ＬＥＤ素子以外の電子部品が寿命検出素子の近くに設置されるとＬＥＤ素子の発熱を正確に検知できず、ＬＥＤ素子が寿命に至る前に消灯がおこなわれる可能性があるとともに、ＬＥＤ素子の短絡や、回路に発生した不具合、故障などに対して消灯制御をすることはできないと考えられる。
【０００９】
そこで、本発明では上記のような課題を解決する為になされたものであり、発光素子を光源とした光源ユニットにおいて、発光素子及び回路部品に発生した劣化、故障を検知し、消灯制御する機構を内部に備えた光源ユニットを提供することを目的とする。
【課題を解決するための手段】
【００１０】
本発明の光源ユニットは、直列に接続された複数の発光素子と、複数の発光素子に対して並列に接続する分圧部と、前記分圧部が分圧する分電圧が印加され、前記複数の発光素子に印加される順方向電圧の変動を検知する制御ユニットと、前記複数の発光素子と直列に接続されるとともに、前記制御ユニットにより制御される開閉部と、を備えることを特徴とするものである。
【発明の効果】
【００１１】
本発明は、発光素子を光源とした光源ユニットにおいて、発光素子及び回路部品に発生した劣化、故障を検知し、消灯制御する機構を内部に備えた光源ユニットを提供することができる。
【図面の簡単な説明】
【００１２】
【図１】実施の形態１における照明器具の斜視図である。
【図２】実施の形態１におけるＬＥＤランプの平面図である。
【図３】実施の形態１における図２に示すＡ−Ａ′部の断面図である。
【図４】実施の形態１における照明器具の回路図である。
【図５】実施の形態１におけるＬＥＤランプの回路図である。
【図６】実施の形態２における照明器具の回路図である。
【図７】実施の形態２におけるＬＥＤランプの回路図である。
【発明を実施するための形態】
【００１３】
実施の形態１.
実施の形態１では、本発明に係る照明器具の一例として、天井などの被取付部（以下、被取付部として天井を例に説明するが天井に限定されない）に取り付けられる逆富士形状をした本体部１に、ＪＩＳ Ｃ ８１５９−１に準じた直管形のＬＥＤランプ１００が取付けられた、照明器具１０００について説明する。
図１は本実施の形態における照明器具１０００の斜視図であり、図２は図１に示すＬＥＤランプ１００の平面図であり、図３は図２に示すＡ−Ａ′部の断面図であり、図４は図１に示す照明器具１０００の回路図であり、図５は図４に示すＬＥＤランプ１００の詳細回路図である。
以下の説明において、便宜上、天井面側（被取付面側）を上面側とし、床面側（被取付面と反対側）を下面側として説明をおこなう。
【００１４】
はじめに、照明器具１０００の各部の構成を説明する。
照明器具１０００は、被取付部に固定される本体部１と、本体部１に着脱可能に取り付けられるＬＥＤランプ１００（または光源ユニット１００）から構成されている。
【００１５】
本体部１は、略箱形状をしており、短手断面は上面側が下面側より大きく形成された逆富士形状をしている。
また、本体部１は、外部に設けられた商用電源からの電力をＬＥＤランプ１００に供給する点灯装置１０（図示なし）を内部に備えていると共に、本体部１の上面側である本体部上側面１ａには長手方向の両端にＬＥＤランプ１００を着脱可能に保持する給電ソケット２０、保持ソケット３０が備えられている。
【００１６】
点灯装置１０は、本体部1の外部から引き込まれる電源電線などを介して商用電源からの電力をＬＥＤランプ１００に供給し、ＬＥＤランプ１００を点灯させる装置であり、本体部１の内部に配設されている。
点灯装置１０は、ＬＥＤランプ１００に流れる電流を一定に保つ機能を備えた定電流電源であり、ダイオードブリッジ１１、コンデンサ１２、スイッチング素子１３、電流制限抵抗１４、制御ＩＣ１５、ダイオードＤ１、コンデンサＣ２、コイルＬ１から構成されている。この点灯装置１０の回路構成は、いわゆるバックコンバータである。
【００１７】
ダイオードブリッジ１１は、商用電源から供給されるＡＣ電圧を整流するものであり、ダイオードブリッジ１１で整流された電圧は、コンデンサ１２で一定の電圧値に制御される。
【００１８】
スイッチング素子１３は、Ｎチャンネル型のＭＯＳＦＥＴから構成される。スイッチング素子１３のドレインはコイル１８の一端に、ソースは電流検出抵抗１４の一端に、また、ゲートは制御ＩＣ１５の出力端子の１つであるＧＡＴＥ端子に接続されている。
スイッチング素子１３は、制御ＩＣ１５によりドレイン-ソース間を導通状態、遮断状態となるように制御がされている。
【００１９】
電流検出抵抗１４は、ＬＥＤランプ１００に流れる電流を検出するための抵抗である。電流検出抵抗１４は、ＬＥＤランプ１００のＶＬ端子とコンデンサ１２のＧＮＤ端子側との間の電流路上に設置されており、ＬＥＤランプ１００のＶＬ端子とコンデンサ１２との間に電位差を発生させるものである。
電流検出抵抗１４の一端はスイッチング素子１３のソースに、他端はコンデンサＡ１２のＶＬ端子に接続されている。
また、電流検出抵抗１４の一端（スイッチング素子１３のソースに接続されている側）に制御ＩＣ１５のＣＳ端子が接続されている。
【００２０】
制御ＩＣ１５は、定電流制御用ＩＣなどから構成されており、制御ＩＣ１５のＶｉｎ端子はコンデンサ１２のＶＨ側に、ＧＮＤ端子はコンデンサ１２のＶＬ側に接続されている。
また、制御ＩＣ１５のＣＳ端子は電流検出抵抗１４の一端に接続されており、制御ＩＣ１５は、ＣＳ端子より入力された電流検出抵抗１４の一端の電圧が所定電圧となるように、スイッチング素子１３のオンＤＵＴＹ比を制御し、ＬＥＤ素子１２２に流れるＬＥＤ電流が所定の定電流となる。
【００２１】
給電ソケット２０は、本体部上側面１ａの長手方向端部の一方に設けられており、電線を介して点灯装置１０と電気的に接続している。
また、給電ソケット２０は、半円筒状に形成された給電ソケット本体部２１と、給電ソケット本体部２１内に設けられ、ＬＥＤランプ１００のＬ形ピン（ＧＸ１６ｔ−５（Ａ）に相当）と嵌合し導通する給電端子２２を備えている。
【００２２】
保持ソケット３０は、本体部上側面１ａに給電ソケット２０と対向するように配設されている。
また、保持ソケット３０は、半円筒状に形成された保持ソケット本体部３１と、保持ソケット本体部３１の内部に設けられ、ＬＥＤランプ１００の保持ピン（ＧＸ１６ｔ−５（Ｂ）に相当）と嵌合する。
【００２３】
ＬＥＤランプ１００は、円筒形状をした筒管部１１０と、筒管部１１０の内部に備えられ基板１２１に複数のＬＥＤ素子１２２（または発光素子）が実装されたＬＥＤ基板部１２０と、ＬＥＤ基板部１２０に当接しＬＥＤ基板部１２０から発生する熱を放熱する放熱部１３０と、筒管部１１０の長手方向端部の一方に配設され給電ソケット２０と接続し導通する給電口金１４０と、筒管部１１０の給電口金１４０と対向する端部に設けられ保持ソケット３０と嵌合する保持口金１５０とを備えている。
また、ＬＥＤ基板１２０には、ＬＥＤ素子１２２の点灯状態を制御するスイッチング素子１２３（または開閉部）、マイコン１２４（または制御ユニット）などが実装されている。
【００２４】
筒管部１１０は、透光性を有する樹脂材料、例えばポリカーボネートなどを、断面が中空の円形状なものを長尺状に形成したものであり、内部にＬＥＤ基板部１２０が差し込まれるとともに、ＬＥＤ基板部１２０から照射される光を透過する。
【００２５】
ＬＥＤ基板部１２０は、筒管部１１０の長手方向に沿って長尺に形成されている基板１２１に、ＬＥＤ素子１２２が長手方向に略均等間隔で配設されている。
また、ＬＥＤ基板部１２０には、ＬＥＤ素子１２２と直列に接続されたスイッチング素子１２３と、スイッチング素子１２３のゲートに接続するマイコン１２４と、マイコン１２４の電源となる定電圧電源部１２５と、定電圧電源部１２５への電圧を制御する分圧部１２６が実装されている。
【００２６】
スイッチング素子１２３は、Ｎチャンネル型のＭＯＳＦＥＴから構成されている。スイッチング素子１２３のドレインはＬＥＤ素子１２２のカソード側の一端に、ソースはＬＥＤランプ１００のＶＬ端子側に、またゲートはマイコン１２４に接続されている。
【００２７】
マイコン１２４は、プロセッサ等から構成されており、複数のＬＥＤ素子１２２を点灯させる為に必要な基準順電圧Ｖｆを記録しているとともに、分圧部１２６に接続するＣＳ端子と、スイッチング素子１２３のゲートと接続するＧＡＴＥ端子を備えている。
【００２８】
定電圧電源部１２５は、定電圧電源回路１２５ａ、ＮＰＮトランジスタ１２５ｂと、電解コンデンサ１２５ｃとを備えており、定電圧電源回路１２５ａは電解コンデンサ１２５ｃからマイコン１２４へ一定の電圧が供給できるようにＮＰＮトランジスタ１２５ｂを制御している。
【００２９】
分圧部１２６は、第一の抵抗部１２６ａと、第二の抵抗部１２６ｂが直列に接続されており、点灯装置１０から印加される、複数のＬＥＤ素子１２２の順方向電圧Ｖｆに相当する電圧を、マイコン１２４の起動電圧になるように分圧する。
また、第一の抵抗部１２６ａと第二の抵抗部１２６ｂの間の分圧点に、マイコン１２４のＣＳ端子が接続されている。
【００３０】
放熱部１３０は、アルミニウムなど放熱性に有した材料を、筒管部１１０およびＬＥＤ基板１２０と略同一になるよう長尺に形成されており、ＬＥＤ基板１２０のＬＥＤ素子１２２が実装されている面の反対面と当接し、筒管部１１０の内部に差し込まれている。
【００３１】
給電口金１４０は、筒管部１１０の長手方向の一端に取り付けられており、ＪＩＳ-Ｃ  ８１５９−１におけるＧＸ１６ｔ−５（Ａ）と同一のものである。
給電口金１４０は、筒管部１１０と連結し有底筒形状をした給電口金本体部１４１と、給電口金本体部１４１の底面から突設した一対のＬ形ピン１４２とを備えている。また、Ｌ形ピン１４２は筒管部１１０の内部にて、ＬＥＤ基板部１２０と接続する。
【００３２】
保持口金１５０は、筒管部１１０長手方向端部の給電口金１４０と対向する端部に装着され、ＪＩＳ-Ｃ  ８１５９−１におけるGX１６ｔ−５（Ｂ）と同一のものである。
保持口金１５０は、筒管部１１０と連結する有底筒形状をした保持口金本体部１５１と、保持口金本体部１５１の底面から突設し、先端にフランジが形成された保持ピン１５２とを備えている。
【００３３】
次に、ＬＥＤランプ１００の点灯動作について説明する。
はじめに、ＬＥＤランプ１００は、本体部１の給電ソケット２０に給電口金１４０のＬ形ピン１４２を挿入し、保護ソケット３０には保持口金１５０の保持ピン１５２が挿入され、ＬＥＤランプ１００は本体部１に固定される。
なお、この時、ＬＥＤランプ１００のＬ形ピン１４２が、給電ソケット２０の給電端子２２と当接し、ＬＥＤランプ１００は点灯装置１０から電力の供給が可能となる。
【００３４】
商用電源などから電力を供給される点灯装置１０は、直列に接続された複数のＬＥＤ素子１２２に対する出力電流を一定に保ちながら、複数のＬＥＤ素子１２２の順方向電圧Ｖｆに相当する電圧を分圧部１２６に印加する。
【００３５】
分圧部１２６は、点灯装置１０により印加される電圧Ｖｆを第一の抵抗部１２６ａと第二の抵抗部１２６ｂより、マイコン１２４が所望する電圧に分圧し、定電圧電源部１２５に印加する。
【００３６】
定電圧電源部１２５は、分圧部１２６から印加された電圧をＮＰＮトランジスタ１２５ｂにより制御を行い、マイコン１２４に一定の電圧を印加する。
【００３７】
マイコン１２４は、ＣＳ端子が分圧点にて分圧される電圧値を観測し、所定の電圧値であれば、スイッチング素子１２３のゲートに設定電圧の印加を開始する。
【００３８】
スイッチング素子１２３のゲートに設定電圧の印加が開始されると、スイッチング素子１２３はドレイン-ソース間を接続する。これにより、ＬＥＤランプ１００は点灯を開始する。
【００３９】
次に、ＬＥＤランプ１００を構成するＬＥＤ素子１２２に故障が発生した場合のマイコン１２４の動作について説明する。
マイコン１２４は、ＬＥＤ素子１２２の故障をＣＳ端子にてモニタしている分圧部１２６の分電圧の変動より検知する。
【００４０】
例えば、ＬＥＤランプ１００を構成するＬＥＤ素子１２２の一つに短絡が発生すると、複数のＬＥＤ素子１２２の電圧は短絡したＬＥＤ素子１２２の順方向電圧Ｖｆ分だけ小さくなる為、点灯装置１０より分圧部１２６に印加される電圧も小さくなる。
よって、マイコン１２４は、分圧部１２６にて分圧される電圧の減少を検知し、スイッチング素子１２３の設定電圧への印加を停止する。
【００４１】
スイッチング素子１２３はゲートへの設定電圧の印加が停止されると、ドレイン-ソース間の接続を解除する。これにより、ＬＥＤランプ１００は消灯する。
【００４２】
また、ＬＥＤ素子１２２の一つにオープン故障が発生すると、点灯装置１０が分圧部１２６に印加する電圧が大きくなる。
マイコン１２５は、分圧部１２８にて分圧される電圧の増加を検知し、スイッチング素子１２３の設定電圧への印加を停止され、短絡が発生した時と同じようにドレイン‐ソース間の接続を解除し、ＬＥＤランプ１００は消灯する。
【００４３】
本実施の形態では、ＬＥＤランプ１００は、直列に接続された複数のＬＥＤ素子と、複数のＬＥＤ素子のカソード側に接続するスイッチング素子と、複数のＬＥＤ素子と並列に接続する分圧部と、スイッチング素子の動作を制御するマイコンとを備えており、ＬＥＤランプ１００はマイコンが分圧部で分圧する電圧値の変動を検知しスイッチンング素子の動作制御をしている。
よって、一定の電流が供給され点灯するＬＥＤランプ１００は、接続機器が故障検知部・出力停止部などを備えていなくとも、ＬＥＤランプ１００内部で発生した短絡などの故障・不具合を検知し、消灯制御することができる。
【００４４】
また、本実施形態の変形例として、ＬＥＤランプ１００′はマイコン１２４が、ＬＥＤランプ１００′の点灯時間を累積する累積点灯時間記録部（図示なし）を備えているものでも良い。
累積点灯時間記録部は、分圧部１２６よりマイコン１２４に印加される時間を計時し累積する。
マイコン１２４は、あらかじめ設定された所定点灯時間と累積された点灯時間とを比較し、累積点灯時間が所定点灯時間に達したとき、スイッチング素子１２３への設定電圧の印加を停止し、スイッチング素子１２３のドレイン‐ソース間の接続は解除され、ＬＥＤランプ１００は消灯する。
なお、マイコン１２４は、累積点灯時間が所定時間に達したとき、スイッチング素子１２３のドレイン‐ソース間の接続、遮断を繰り替えしＬＥＤランプ１００′を点滅点灯させ、ＬＥＤランプ１００′所定時間であることを報知するようにしても良い。
【００４５】
なお、本実施の形態では、点灯装置１０はダイオードブリッジ１１、コンデンサ１２、スイッチング素子１３、電流制限抵抗１４、制御ＩＣ１５などから構成された形態に関して説明を行ったが、ＬＥＤランプ１００に流れる電流を一定に保つ定電流電源であればよい。
【００４６】
なお、本実施の形態では、放熱部１３０が、筒管部１１０の内部に挿入される形態に関して説明を行ったが、筒管部、放熱部を略半円形状に形成し、嵌合するようしてもよい。
【００４７】
実施の形態２．
本実施の形態２では、実施の形態１では一定の電流が供給され点灯するＬＥＤランプ１００について説明を行ったが、本実施の形態２では一定の電圧が供給され点灯するＬＥＤランプ２００について説明を行う。
なお、実施の形態１と同様の構成は実施の形態１と同じ符号を付し、詳細な説明を省略し異なる構成について説明する。
図６は実施の形態２における照明器具２０００の回路図であり、図７は図６に示すＬＥＤランプ２００の回路図である。
【００４８】
照明器具２０００は、被取付部に固定される本体部１と、本体部１に着脱可能に取り付けられるＬＥＤランプ２００（または光源ユニット）から構成されている。
また、本体部１は、一定の電圧をＬＥＤランプ２００に印加する点灯装置２０（図示なし）を内部に備えている。
【００４９】
点灯装置２０は、商用電源から供給される交流電力を変換し、ＬＥＤランプ２００に一定の直流電圧が印加する定電圧電源であり、トランス、ダイオードブリッジ、コンデンサ、制御ＩＣなどから構成されている。
【００５０】
ＬＥＤランプ２００は、円筒形状をした筒管部１１０と、筒管部１１０の内部に備えられ基板２１１に複数のＬＥＤ素子１２２が実装されたＬＥＤ基板２１０と、ＬＥＤ基板２１０に当接しＬＥＤ基板２１０から発生する熱を放熱する放熱部１３０と、筒管部１１０の長手方向端部の一方に配設され給電ソケット２０と接続し導通する給電口金１４０と、筒管部１１０の給電口金１４０と対向する端部に設けられ保持ソケット３０と嵌合する保持口金１５０とを備えている。
また、ＬＥＤ基板２１０には、ＬＥＤ素子１２２の点灯状態を制御するスイッチング素子２１２（または開閉部）、マイコン２１３（または制御ユニット）などが実装されている。
【００５１】
ＬＥＤ基板部２１０は、筒管部１１０の長手方向に沿って長尺に形成されている基板２１１に、ＬＥＤ素子１２２が長手方向に略均等間隔で配設されている。
また、ＬＥＤ基板部２１０には、ＬＥＤ素子と直列にスイッチング素子２１２、検知用抵抗部２１４（または検出部）が接続される、スイッチング素子２１２のゲートにはマイコン２１３が接続されるとともに、マイコン２１３に電圧を印加する定電圧電源部１２６と、定電圧電源部１２５への電圧を制御する分圧部１２６を備えている。
【００５２】
スイッチング素子２１２は、Ｎチャンネル型のＭＯＳＦＥＴから構成されている。スイッチング素子２１２のドレインは検知用抵抗部２１４の一端に、ソースはＬＥＤランプ２００のＶＬ端子側に、またゲートはマイコン２１３に接続されている。
【００５３】
マイコン２１３は、プロセッサ等から構成されており、複数のＬＥＤ素子１２２と抵抗部２２３の間に接続するＣＳ端子と、スイッチング素子２１２のゲートと接続するＧＡＴＥ端子を備えている。
【００５４】
検知用抵抗部２１４は、複数のＬＥＤ素子１２２のカソード側に接続されており、ＬＥＤ素子１２２と同等の電流が負荷される。
【００５５】
次に、ＬＥＤランプ２００の点灯動作について説明する。
ＬＥＤランプ２００は、本体部１に備えられた点灯装置２０（図示なし）より、給電ソケット２０を介して一定の電圧が供給され点灯する。
【００５６】
商用電源などから電力を供給される定電圧点灯装置は、直列に接続された複数のＬＥＤ素子１２２に対して出力電圧を一定に保ちながら、複数のＬＥＤ素子１２２の順方向電圧Ｖｆに相当する電圧を分圧部１２６に印加する。
【００５７】
分圧部１２６は、定電圧点灯装置により印加される順方向電圧Ｖｆを第一の抵抗部１２６ａと第二の抵抗部１２６ｂより、マイコン２１３が所望する電圧に分圧し、定電圧電源部１２５に印加する。
【００５８】
定電圧電源部１２５は、分圧部１２６から印加された電圧をＮＰＮトランジスタ１２５ｂにより制御を行い、マイコン２１３に一定の電圧を印加する。
【００５９】
マイコン２１３は、ＣＳ端子が検知用抵抗部２１４に印加される電圧値を観測し、所定の電圧値であれば、スイッチング素子２１２のゲートに設定電圧の印加を開始する。
【００６０】
スイッチング素子２１２のゲートに設定電圧の印加が開始されると、スイッチング素子２１２はドレイン-ソース間を接続し、ＬＥＤランプ２００は点灯を開始する。
【００６１】
次に、ＬＥＤランプ２００を構成するＬＥＤ素子１２２に故障が発生した場合のマイコン２１３の動作について説明する。
マイコン２１３は、ＣＳ端子より、検知用抵抗部２１４に印加される電圧の変動を検知し、スイッチング素子２１２の動作を制御する。
【００６２】
例えば、ＬＥＤランプ２００を構成するＬＥＤ素子１２２の一つに短絡が発生すると。複数のＬＥＤ素子１２２の順電圧は短絡したＬＥＤ素子１２２のＶｆ分だけ小さくなる為、検知用抵抗部２１４に印加される電圧は短絡したＬＥＤ素子１２２のＶｆ分大きくなる。マイコン２１３は、検知用抵抗部２１４へ印加される電圧の増幅を検知し、スイッチング素子２１２への設定電圧への印加を停止させ、ＬＥＤランプ２００を消灯させる。
【００６３】
本実施の形態では、ＬＥＤランプ２００は、直列に接続されたＬＥＤ素子２１２と、複数のＬＥＤ素子１２２にカソード側に接続された検知抵抗部２１４、スイッチン
グ素子２１２と、スイッチング素子２１２の動作を制御するマイコン２１３とを備えており、ＬＥＤランプ２００はマイコン２１３が、検知抵抗部２１４に印加される電圧の変動を検知しスイッチング素子２１２の動作制御をしている。
よって、一定の電圧が供給され点灯するＬＥＤランプ２００は、接続機器が故障検知部・出力停止部などを備えていなくとも、ＬＥＤランプ２００内部で発生した短絡などの故障・不具合を検知し、消灯制御することができる。
【００６４】
なお、本実施の形態では、点灯装置２０はトランス、ダイオードブリッジ、コンデンサ、制御ＩＣなどから構成された形態に関して説明を行ったが、ＬＥＤランプ２００に印加する電圧を一定に保つ定電圧電源であればよい。
【符号の説明】
【００６５】
１０００  照明器具、１  本体部、１ａ  本体部上側面、１０  点灯装置、１１  ダイオードブリッジ、１２  コンデンサ、１３  スイッチング素子、１４  電流制限抵抗
１５  制御ＩＣ、２０  給電ソケット、２１  給電ソケット本体部、２２  給電端子、３０  保持ソケット、３１  保持ソケット本体部  、１００  ＬＥＤランプ、１１０  筒管部、１２０  ＬＥＤ基板、１２１  基板、１２２  ＬＥＤ素子、１２３  スイッチング素子、１２４  マイコン、１２５  定電圧電源部、１２６  分圧部、１２６ａ  第一の抵抗部、１２６ｂ  第二の抵抗部、１３０  放熱部、１４０  給電口金、１４１  給電口金本体部、１４２  Ｌ形ピン、１５０  保持口金、１５１  保持口金本体部、１５２  保持ピン、２００  ＬＥＤランプ、２１０  ＬＥＤ基板、２１１  基板、２１２  スイッチング素子、２１３  マイコン、２１４  検知用抵抗部。
【図１】
0006361330.tif 000002
【図２】
0006361330.tif 000003
【図３】
0006361330.tif 000004
【図４】
0006361330.tif 000005
【図５】
0006361330.tif 000006
【図６】
0006361330.tif 000007
【図７】
0006361330.tif 000008